(57)【特許請求の範囲】
【請求項１】
基端に鍔の付いたチューブピアスを耳朶に刺し通すとともに、耳朶から突出したチューブピアスの先端にキャッチを取り付けてチューブピアスが耳朶から抜け出すことを防ぐようにしたピアス孔開け装置であって、
前記キャッチをセットする溝部が一端に形成されるとともに他端に開口が形成され、耳朶を受け入れる受入凹部が形成されたケース本体と、このケース本体に取付けられ、溝部にセットしたキャッチを保持する板ばねと、前記開口からケース本体内に差し込まれ、待機位置及び打込位置間をスライド可能なスライドケースと、このスライドケースを待機位置に保持する復帰ばねと、この復帰ばねに抗してスライドケースが打込位置まで押し込まれたとき、受入凹部の耳朶を刺し通すようにスライドケースに取り付けられた針部と、打込位置まで押し込まれたスライドケースが復帰ばねで待機位置まで戻った後、スライドケースの押し込みを阻止する二度打ち防止手段とからなり、
この二度打ち防止手段は、ケース本体に凸部を備え、この凸部の一方の面にガイド面が形成されるとともに他方の面にロック凹部が形成され、前記スライドケースに弾性変形可能な片持ちプレートを備えることにより、スライドケースを打込位置に押し込む際に、凸部の一方側のガイド面に沿って片持ちプレートの先端を移動することで片持ちプレートを弾性変形させ、スライドケースが打込位置まで押し込まれたとき、片持ちプレートの先端がガイド面を乗り越えることで片持ちプレートの弾性変形を解除させて片持ちプレートの先端を凸部の他端側に配置し、スライドケースが復帰ばねで待機位置に復帰したとき、片持ちプレートの先端を凸部のロック凹部に配置するものであり、
前記針部にチューブピアスを嵌め込み、針部を耳朶に刺し通すとともにチューブピアスを耳朶に刺し通し、耳朶から突出したチューブピアスの先端をキャッチに刺し通せるようにしたことを特徴とするピアス孔開け装置。
【請求項２】
前記キャッチをセットする溝部は、開口の幅寸法が底部の幅寸法より大きなテーパ状に形成されていることを特徴とする請求項１記載のピアス孔開け装置。
【請求項３】
前記チューブピアスは、先端の周壁に開口が形成され、この開口からチューブピアスの内側にキャッチの一部が押し込まれることを特徴とする請求項１記載のピアス孔開け装置。
【発明の詳細な説明】
【０００１】
【発明の属する技術分野】
本発明はピアス孔開け装置に係り、さらに詳しくはピアスを装着する小孔を耳朶に開けるためのピアス孔開け装置に関する。
【０００２】
【従来の技術】
女性の装飾用具として耳朶に取り付けるピアスイアリング（以下、「ピアス」という）がある。ピアスを耳朶に取付ける方法には、一例としてフッ素樹脂のチューブ（以下、「チューブピアス」という）をチューブピアス挿入器で耳朶に刺し込み、チューブピアスの貫通孔にピアスのポストを差し込む方法が知られている。
【０００３】
従来のチューブピアス挿入器は、シリンダの先端に針を取り付け、この針にチューブピアスをかぶせた状態で、シリンダを押し込むことで針を耳朶に刺し通すとともにチューブピアスを耳朶に刺し通すものである。ついで、チューブピアスの貫通孔から針を抜き出し、貫通孔にピアスのポストを差し込んで耳朶にピアスを取り付けていた。チューブピアスはフッ素樹脂で形成することで、金属アレルギーなどのかぶれが耳朶に発生しないように対処している。
なお、チューブピアス挿入器で耳朶に刺し通されたチューブピアスは、耳朶から抜け出さないように先端を、加締器等で加締める必要があった。
【０００４】
【発明が解決しようとする課題】
本発明は、二次感染を防ぐために一度の孔開けしかできないようにし、しかもチューブピアスの抜け落ち防止対策を、孔開け操作と同時に行えるようにしたピアス孔開け装置を提供して上述の問題点を解消しようとするものである。
【０００５】
【課題を解決するための手段】
このため本発明の請求項１は、基端に鍔の付いたチューブピアスを耳朶に刺し通すとともに、耳朶から突出したチューブピアスの先端にキャッチを取り付けてチューブピアスが耳朶から抜け出すことを防ぐようにしたピアス孔開け装置であって、前記キャッチをセットする溝部が一端に形成されるとともに他端に開口が形成され、耳朶を受け入れる受入凹部が形成されたケース本体と、このケース本体に取付けられ、溝部にセットしたキャッチを保持する板ばねと、前記開口からケース本体内に差し込まれ、待機位置及び打込位置間をスライド可能なスライドケースと、このスライドケースを待機位置に保持する復帰ばねと、この復帰ばねに抗してスライドケースが打込位置まで押し込まれたとき、受入凹部の耳朶を刺し通すようにスライドケースに取り付けられた針部と、打込位置まで押し込まれたスライドケースが復帰ばねで待機位置まで戻った後、スライドケースの押し込みを阻止する二度打ち防止手段とからなり、この二度打ち防止手段は、ケース本体に凸部を備え、この凸部の一方の面にガイド面が形成されるとともに他方の面にロック凹部が形成され、前記スライドケースに弾性変形可能な片持ちプレートを備えることにより、スライドケースを打込位置に押し込む際に、凸部の一方側のガイド面に沿って片持ちプレートの先端を移動することで片持ちプレートを弾性変形させ、スライドケースが打込位置まで押し込まれたとき、片持ちプレートの先端がガイド面を乗り越えることで片持ちプレートの弾性変形を解除させて片持ちプレートの先端を凸部の他端側に配置し、スライドケースが復帰ばねで待機位置に復帰したとき、片持ちプレートの先端を凸部のロック凹部に配置するものであり、前記針部にチューブピアスを嵌め込み、針部を耳朶に刺し通すとともにチューブピアスを耳朶に刺し通し、耳朶から突出したチューブピアスの先端をキャッチに刺し通せるようにしたことを特徴とする。
【０００６】
上記した請求項１に係るピアス孔開け装置は、耳朶にチューブピアスを取付けた後、スライドケースが押込位置から待機位置まで復帰すると二度打ち防止手段によりスライドケースが待機位置にロックされる。したがって、一回使用したピアス孔開け装置を再使用することを防いで、消毒を完璧に行わなかった不衛生な針部を再使用することを未然に防ぐことができる。
【０００７】
また、ピアス開け装置だけで、耳朶にチューブピアスを取り付けることができるので、従来技術のように加締器を使用してチューブピアスの先端を加締める必要がない。このため、比較的簡単にチューブピアスを耳朶に取り付けることができる。
【０００８】
さらに、ケース本体に板ばねを取り付けて、板ばねで溝部にセットしたキャッチを保持するようにした。これにより、キャッチが溝部から抜け出すことを防ぐことができ、針部の先端及びチューブピアスの先端を確実にキャッチに突き刺すことができ、ピアス孔開け装置の操作が簡単になり使い勝手が向上する。
【０００９】
さらに前記二度打ち防止手段は、ケース本体に凸部を備え、この凸部の一方の面にガイド面が形成されるとともに他方の面にロック凹部が形成され、前記スライドケースに弾性変形可能な片持ちプレートを備えることにより、スライドケースを打込位置に押し込む際に、凸部の一方側のガイド面に沿って片持ちプレートの先端を移動することで片持ちプレートを弾性変形させ、スライドケースが打込位置まで押し込まれたとき、片持ちプレートの先端がガイド面を乗り越えることで片持ちプレートの弾性変形を解除させて片持ちプレートの先端を凸部の他端側に配置し、スライドケースが復帰ばねで待機位置に復帰したとき、片持ちプレートの先端を凸部のロック凹部に配置することを特徴としている。
【００１０】
このためケース本体に凸部を備え、かつスライドケースに片持ちプレートを備えるだけの簡単な構成で、ピアス孔開け装置の二度打ちを防ぐことができる。  さらに、ピアス孔開け装置の構成を簡素化することができるので、装置のコストアップを抑えることもできる。
【００１１】
請求項２は、前記キャッチをセットする溝部は、開口の幅寸法が底部の幅寸法より大きなテーパ状に形成されていることを特徴とする。
【００１２】
溝部の形状を、開口の幅寸法が底部の幅寸法より大きなテーパ状に形成されているようにした。これにより、キャッチを簡単に溝部にセットすることができ、かつ針部及びチューブピアスをキャッチに刺し通した後、キャッチを簡単に溝部から取り出すことができ、ピアス孔開け装置の操作が簡単になり使い勝手が向上する。
【００１３】
請求項３は、前記チューブピアスは、先端の周壁に開口が形成され、この開口からチューブピアスの内側にキャッチの一部が押し込まれることを特徴とする。
【００１４】
このようにチューブピアスの先端周壁に開口が形成され、この開口からチューブピアスの内側にキャッチの一部が押し込まれる。
これにより、チューブピアスの貫通孔より小径のポストを、貫通孔に差し込んだ場合でも、このポストを開口から貫通孔内に入り込んだキャッチの一部がポストを押さえ付けることができるので、ポストの外径が貫通孔とぴったり一致しないピアスであってもその取り付けが可能となり、同時にキャッチの落下防止も図られ、その結果利用範囲が広がり、使い勝手が向上する。
【００１５】
【発明の実施の形態】
以下、本発明の実施の形態を図面に基づいて説明する。
図１に示すように、ピアス孔開け装置１０は、キャッチ１１をセットする溝部１５が一端２０ａに形成されるとともに他端２０ｂに開口２１が形成され、耳朶１９（図２に示す）を受け入れる受入凹部２５が形成されたケース本体２０と、このケース本体２０に取付けられ、溝部１５にセットしたキャッチ１１を保持する板ばね３０（図４参照）と、開口２１からケース本体２０内に差し込まれ、待機位置Ｐ１（図２参照）及び打込位置Ｐ２（図１０参照）間をスライド可能なスライドケース３５と、このスライドケース３５を待機位置Ｐ１に保持する復帰ばね４５と、この復帰ばね４５に抗してスライドケース３５が打込位置Ｐ２まで押し込まれたとき、受入凹部２５の耳朶１９を刺し通すようにスライドケース３５に取り付けられた針部４８と、打込位置Ｐ２まで押し込まれたスライドケース３５が復帰ばね４５で待機位置Ｐ１まで戻った後、スライドケース３５の押し込みを阻止する二度打ち防止手段５０とからなる。
【００１６】
ピアス孔開け装置１０によれば、針部４８にチューブピアス１３を嵌め込み、針部４８を耳朶１９に刺し通すとともにチューブピアス１３を耳朶１９に刺し通し、耳朶１９から突出したチューブピアス１３の先端をキャッチ１１に刺し通すことができる。
【００１７】
ケース本体２０は、前・後壁の側壁２２、２３を一定の間隔をおいて配置した状態で各々の周縁を連結壁２４にて一体形成し、ケース本体２０の上端には耳朶１９を差し込む受入凹部２５を形成し、前・後壁２２、２３の内面には一端２０ａ側から他端２０ｂ側に延伸するレール２６ａ、２６ｂが備えられ、後壁２３にはガイド孔２７が備えられ、図４に示す連結壁２４には板ばね３０を差し込む差込孔２８が備えられ、図２に示す連結壁２４には筒体２９が備えられている。
【００１８】
スライドケース３５は、ケース本体２０の開口２１から差し込み可能な状態に前・後壁３６、３７を配置し、この両壁の周縁を連結壁３８で一体に形成したものであり、この前・後壁３６、３７の外面にはレール２６ａ、２６ｂに嵌合するガイド４０ａ、４０ｂが備えられ、後壁３７にはケース本体２０のガイド孔２７内を移動する爪片４１（図２、図３参照）が備えられ、連結壁３８にはケース本体２０の筒体２９に移動自在に差し込み可能となるロッド４２が備えられている。
【００１９】
溝部１５は、図４に示すように開口１６の幅寸法Ｗ１が底部１７の幅寸法Ｗ２より大きなテーパ状に形成され、図２及び図５に示す背面１５ａ、１５ｂはテーパ状に形成され、キャッチ１１（図１、図５に示す）を保持するための押え片１５ｃが形成されている。
溝部１５をテーパ状に形成することで、図１、図５に示すキャッチ１１を簡単に溝部１５にセットすることができ、かつ針部４８及びチューブピアス１３をキャッチ１１に刺し通した後、キャッチ１１を簡単に溝部１５から取り出すことができる。このため、ピアス孔開け装置１０の操作が簡単になる。
【００２０】
板ばね３０は、図１、図４に示すように略Ｌ形に折り曲げた状態に形成され、下片３１をケース本体２０の差込孔２８に差し込むことでケース本体２０に取り付け、上片３２をキャッチ１１の大径部１１ａの外周に押し付ける。
復帰ばね４５は、図２に示すようにケース本体２０の筒体２９と、筒体２９に移動自在に差し込んだスライドケース３５のロッド４２に嵌合されており、取付位置Ｐ２まで移動されたスライドケース３５を待機位置Ｐ１まで戻すためのばねである。
【００２１】
さらに針部４８は、スライドケース３５の連結部３８に備えた基部４９に基端が取り付けられ、その先端４８ａがケース本体２０の溝部１５に向くように固定されている。
【００２２】
また二度打ち防止手段５０は、ケース本体２０の後壁に凸部５１を備え、この凸部５１の一方の面にガイド面５２が形成されるとともに他方の面にはロック凹部５３が形成され、スライドケース３５には弾性変形可能な片持ちプレート５５が備えられている。
【００２３】
この二度打ち防止手段５０によれば、スライドケース３５を打込位置Ｐ２に押し込む際に、図６（ａ）に示すように凸部５１の一方側のガイド面５２に沿って片持ちプレート５５の先端５６を移動することで片持ちプレート５５を弾性変形させるものである。
スライドケース３５が打込位置Ｐ２まで押し込まれたとき、図６（ｂ）に示すように片持ちプレート５５の先端５６がガイド面５２を乗り越えることで片持ちプレート５５の弾性変形を解除させて片持ちプレート５５の先端５６を凸部５１の他端側に配置させるものである。前記の復帰ばね４５（図２参照）で、スライドプレート３５を待機位置Ｐ１に復帰させることにより、片持ちプレート５５が凸部５１の他端側に沿って移動する。
このスライドケース３５が復帰ばね４５により待機位置Ｐ１に復帰したとき、図６（ｃ）に示すように、片持ちプレート５５の先端５６は凸部５１のロック凹部５３に配置される。
【００２４】
したがって、ケース本体２０に凸部５１を備え且つスライドケース３５に片持ちプレート５５を備えるだけの簡単な構成で、ピアス孔開け装置１０の二度打ちを防ぐことができる。このため、ピアス孔開け装置１０の構成を簡素化することができるので、装置のコストアップを抑えることができる。
【００２５】
図７、図８に示すように、例えばチューブピアス１３は、ＴＰＸ（三井化学社製の樹脂製品名）又はポリプロピレン製の如く、安全かつ衛生的で、適度の弾力性を有する透明樹脂素材で形成される。このチューブピアス１３の基端には鍔１３ａが備えられ、先端１３ｂは先細のテーパ面に形成され、基端１３ａから先端１３ｂに至る位置には貫通した貫通孔１３ｃが備えられ、テーパ面の近傍には開口１４が開けられている。
このチューブピアス１３は、図２に示すように針部４８にかぶせられ（すなわち、嵌め込まれ）、このとき針部４８の先端４８ａは、チューブピアス１３から突出する状態となっている。
【００２６】
図９に示すように、キャッチ１１は、弾性変形可能な透明樹脂素材で大径部１１ａ及び小径部１１ｂが形成され、その大径部１１ａの端部及び小径部１１ｂの端部には、各々チューブピアス１３の外径より僅かに大きな穴１２ａ、１２ｂが形成されている。この穴１２ａを、開口部が広げられたテーパ形とすることで、チューブピアス１３の先端１３ｂを刺し通し易くできる。
【００２７】
このキャッチ１１は、図４、図５に示すようにケース本体２０の溝部１５にセットされ、針部４８の先端４８ａ及びチューブピアス１３の先端１３ｂが突き刺さる（図１１、図１３参照）。これにより、チューブピアス１３が耳朶１９から抜けることを防ぐとともに、キャッチ１１の落下防止も図られる。
このようにして、図１３に示すようにチューブピアス１３の開口１４から、キャッチ１１の一部１１ｃがチューブピアス１３の内部に入り込む。
【００２８】
これにより、図１３に示すピアス６０のポスト６１の外径が、チューブピアス１３の貫通孔１３ｃより小径であっても、貫通孔１３ｃに差し込んだポスト６１を、開口１４から貫通孔１３ｃ内に入り込んだキャッチ１１の一部１１ｃが押さえ付けることができる。
このため、ポスト６１の外径が貫通孔１３ｃにぴったり一致しないピアスであっても、チューブピアス１３に取り付けることが可能となる。
【００２９】
つぎに、本発明に係るピアス孔開け装置の作用を説明する。
図２において、ピアス孔開け装置１０の受入凹部２５に耳朶１９を入れ、ついでスライドケース３５を矢印ａ方向に押し込むと、スライドケース３５が待機位置Ｐ１からケース本体２０側に向けて移動する。
このとき、片持ちプレート５５の先端５６は、凸部５１のガイド面５２に沿って矢印ｂ方向に移動し、片持ちプレート５５は弾性変形する。なお、爪片４１はガイド孔２７内を矢印ｃ方向（図３も参照）に移動する。
【００３０】
図１０において、スライドケース３５が取付位置Ｐ２に到達することにより、耳朶１９に針部４８及びチューブピアス１３が刺し通され、針部４８の先端及びチューブピアス１３の先端がキャッチ１１に刺し通される。
このとき、片持ちプレート５５は、凸部５１のガイド面５２を乗り越えて弾性変形が解除されるため、片持ちプレート５５の先端５６は他方の面側に配置されるようになる。
この状態で、スライドケース３５の押込み力を解除すると、復帰ばね４５のばね力でスライドケース３５を待機位置Ｐ１方向に押し戻すことができる。
【００３１】
図１１において、スライドケース３５が待機位置Ｐ１に戻るため、ピアス孔開け装置１０が矢印ｄ方向に移動し、耳朶１９をピアス孔開け装置１０の受入凹部２５から外すことができる。
このとき、片持ちプレート５５の先端５６が凸部５１のロック凹部５３に位置して、ピアス孔開け装置１０の二度打ちを防ぐことができる。
【００３２】
その後、図１２に示すようにピアス６０のポスト６１をチューブピアス１３に差し込むが、図１３に示すようにキャッチ１１の一部１１ｃがチューブピアス１３の開口１４からチューブピアス１３の内部に入り込むため、ピアス６０のポスト６１の外径が、チューブピアス１３の貫通孔１３ｃより小径であっても、貫通孔１３ｃに差し込んだポスト６１をキャッチ１１の一部１１ｃで押さえ付けることができる。
【００３３】
つぎに、第２実施の形態を説明する。
図１４〜図１６に示すように、キャッチ７０は、弾性変形可能な透明樹脂で円筒に形成され、後端に段部７１が形成され、前後端に各々チューブピアス１３の外径より僅かに大きな穴７３、７４が形成され、穴７３、７４が貫通孔７５を介して連通され、この貫通孔７５には突出部７５ａが形成されている。
【００３４】
貫通孔７５に突出部７５ａを形成することで、キャッチ７０にチューブピアス１３（図７、図８参照）を刺し通した際に、突出部７５ａをチューブピアス１３の開口１４からチューブピアス１３の内部に入り込ませることができる。すなわち、図１３と同じ状態になる。
【００３５】
したがって、キャッチ１１と同様に、ピアス６０のポスト６１の外径が、チューブピアス１３の貫通孔１３ｃより小径であっても、貫通孔１３ｃに差し込んだポスト６１をキャッチ７０の突出部７５ａで押さえ付けることができる。なお、穴７３の開口部を拡開状のテーパ形とすることで、チューブピアス１３の先端１３ｂを刺し通し易くすることができる。
【００３６】
【発明の効果】
よって本発明の請求項１は、耳朶にチューブピアスを取付けた後、スライドケースが押込位置から待機位置まで復帰すると二度打ち防止手段がスライドケースが待機位置にロックされる。したがって、一回使用したピアス孔開け装置を再使用することを防いで、消毒を完璧に行わなかった不衛生な針部を再使用することを未然に防ぐことができる。
【００３７】
また、ピアス孔開け装置だけで、耳朶にチューブピアスを取り付けることができるので、従来技術のように加締器を使用してチューブピアスの先端を加締める必要がない。このため、比較的簡単にチューブピアスを耳朶に取り付けることができる。
【００３８】
さらに、ケース本体に板ばねを取り付けて、板ばねで溝部にセットしたキャッチを保持するようにしたので、キャッチがケース本体の溝部から抜け出すことを防ぐことができ、針部の先端及びチューブピアスの先端を確実にキャッチに突き刺すことができる。このため、ピアス孔開け装置の操作が簡単になり使い勝手が向上する。
【００３９】
またケース本体に凸部を備え、かつスライドケースに片持ちプレートを備えるだけの簡単な構成で、ピアス孔開け装置の二度打ちを防ぐことができる。このため、ピアス孔開け装置の構成を簡素化することができるので、装置のコストアップを抑えることができる。
【００４０】
請求項２は、ケース本体の溝部の形状を開口の幅寸法が底部の幅寸法より大きなテーパ状に形成されるようにした。これにより、キャッチを簡単に溝部にセットすることができ、かつ針部及びチューブピアスをキャッチに刺し通した後、キャッチを簡単に溝部から取り出すことができ、ピアス孔開け装置の操作が簡単になり使い勝手が向上する。
【００４１】
請求項３は、チューブピアスの先端周壁に開口が形成され、この開口からチューブピアスの内側にキャッチの一部が押し込まれる。これにより、チューブピアスの貫通孔より小径のポストを貫通孔に差し込んだ場合でも、このポストを開口から貫通孔内に入り込んだキャッチの一部が押さえ付けることができる。このため、ポストの外径がチューブピアスの貫通孔に合わないピアスであっても、取り付け可能となり、かつキャッチの落下防止も図られて利用範囲が広がり、使い勝手もさらに向上する。
【図面の簡単な説明】
【図１】  本発明に係るピアス孔開け装置の分解斜視図である。
【図２】  本発明に係るピアス孔開け装置の断面図である。
【図３】  図２のＡ−Ａ線断面図である。
【図４】  本発明に係るピアス孔開け装置の溝部を示す正面図である。
【図５】  本発明に係るピアス孔開け装置の溝部を示す斜視図である。
【図６】  本発明に係るピアス孔開け装置の二度打ち防止手段の動作説明図である。
【図７】  本発明に係るピアス孔開け装置のチューブピアスを示す斜視図である。
【図８】  本発明に係るピアス孔開け装置のチューブピアスを示す断面図である。
【図９】  本発明に係るピアス孔開け装置のキャッチを示す断面図である。
【図１０】  本発明に係るピアス孔開け装置を、取付位置まで押し込んだ状態を示す断面図である。
【図１１】  本発明に係るピアス孔開け装置を、待機位置まで戻した状態を示す断面図である。
【図１２】  ピアスの斜視図である。
【図１３】  本発明に係るピアス孔開け装置のチューブピアス及びキャッチを耳朶に取付けた状態を示す断面図である。
【図１４】  本発明に係るピアス孔開け装置のキャッチ（第２実施の形態）を示す斜視図である。
【図１５】  本発明に係るピアス孔開け装置のキャッチ（第２実施の形態）を示す正面図である。
【図１６】  図１５のＢ−Ｂ線断面図である。
【符号の説明】
１０…ピアス孔開け装置
１１…キャッチ
１１ｃ…キャッチの一部
１３…チューブピアス
１３ａ…鍔
１３ｂ…チューブピアスの先端
１４…チューブピアスの開口
１５…溝部
１６…溝部の開口
１７…溝部の底部
１９…耳朶
２０…ケース本体
２０ａ…ケース本体の一端
２０ｂ…ケース本体の他端
２１…開口
２５…受入凹部
３０…板ばね
３５…スライドケース
４５…復帰ばね
４８…針部
５０…二度打ち防止手段
５１…凸部
５２…ガイド面
５３…ロック凹部
５５…片持ちプレート
５６…片持ちプレートの先端
Ｐ１…待機位置
Ｐ２…取付位置
Ｗ１…開口の幅寸法
Ｗ２…底部の幅寸法
【図１】
0003793397.tif 000002
【図２】
0003793397.tif 000003
【図３】
0003793397.tif 000004
【図４】
0003793397.tif 000005
【図５】
0003793397.tif 000006
【図６】
0003793397.tif 000007
【図７】
0003793397.tif 000008
【図８】
0003793397.tif 000009
【図９】
0003793397.tif 000010
【図１０】
0003793397.tif 000011
【図１１】
0003793397.tif 000012
【図１２】
0003793397.tif 000013
【図１３】
0003793397.tif 000014
【図１４】
0003793397.tif 000015
【図１５】
0003793397.tif 000016
【図１６】
0003793397.tif 000017